(57)【要約】【課題】  本発明は幹線ケーブルを複数本接続しても、十分な接続強度が得られるとともに、電気の相確認が容易にでき、誤接続を防止することができる幹線ケーブルを得るにある。【解決手段】3フロア程度に配線できる長さに形成されたケーブルと、このケーブルの各フロアに電気を供給できるように分岐された複数個の分岐配線と、ケーブルの上部に取付けられた内部に接触子を有する雌コネクタ本体、この雌コネクタ本体の先端外周部に形成されたねじ部、このねじ部の後端部に形成された位置決め確認ができかつ電気の相識別を確認することができる確認部とからなる雌コネクタと、ケーブルの下部に取付けられた雌コネクタの接触子と接続される接触片を有する雄コネクタ本体、この雄コネクタ本体を覆うように回転可能に取付けられた、雌コネクタと螺合する袋ナット、この袋ナットの先端部が雌コネクタの確認部に位置したところで、該袋ナットを雄コネクタ本体に固定するセットビスとからなる雄コネクタとで幹線ケーブルを構成している。【選択図】  図７
2005056687.tif 000002
【特許請求の範囲】
【請求項１】
3フロア程度に配線できる長さに形成されたケーブルと、このケーブルの各フロアに電気を供給できるように分岐された複数個の分岐配線と、前記ケーブルの上部あるいは下部に取付けられた内部に接触子を有する雌コネクタ本体、この雌コネクタ本体の先端外周部に形成されたねじ部、このねじ部の後端部に形成された位置決め確認ができ、かつ電気の相識別を確認することができる確認部とからなる雌コネクタと、前記ケーブルの下部あるいは上部に取付けられた前記雌コネクタの接触子と接続される接触片を有する雄コネクタ本体、この雄コネクタ本体を覆うように回転可能に取付けられた、前記雌コネクタと螺合する袋ナット、この袋ナットの先端部が前記雌コネクタの確認部に螺合位置したところで、該袋ナットを雄コネクタ本体に固定するセットビスとからなる雄コネクタとを備えることを特徴とする幹線ケーブル。
【請求項２】
3フロア程度に配線できる長さに形成されたケーブルと、このケーブルの各フロアに電気を供給できるように分岐された複数個の分岐配線を接続することができる分岐配線用コネクタと、前記ケーブルの上部あるいは下部に取付けられた内部に接触子を有する雌コネクタ本体、この雌コネクタ本体の先端外周部に形成されたねじ部、このねじ部の後端部に形成された位置決め確認ができ、かつ電気の相識別を確認することができる確認部とからなる雌コネクタと、前記ケーブルの下部あるいは上部に取付けられた、前記雌コネクタの接触子と接続される接触片を有する雄コネクタ本体、この雄コネクタ本体を覆うように回転可能に取付けられた、前記雌コネクタと螺合する袋ナット、この袋ナットの先端部が前記雌コネクタの確認部に螺合位置したところで、該袋ナットを雄コネクタ本体に固定するセットビスとからなる雄コネクタとを備えることを特徴とする幹線ケーブル。
【発明の詳細な説明】
【技術分野】
【０００１】
本発明は5階以上の高層ビル等の建物に設置され、各フロアへ電気を供給する幹線ケーブルに関する。
【背景技術】
【０００２】
従来の幹線ケーブルは複数階の長さに形成されたケーブルと、このケーブルの下端部に取付けられた接続用コネクタと、前記ケーブルの上端部に取付けられた接続用コネクタおよび各階配線用の分岐配線とで構成されている。
【０００３】
したがって、幹線ケーブルの接続は上下端部の接続用コネクタで行なうだけであるため、高層ビル等のように複数本の幹線ケーブルを接続した場合、接続部の強度が十分に得られないという欠点があるとともに、3本以上の幹線ケーブルの電気の相確認が大変で、手数がかかるという欠点があった。
【特許文献１】特開平１１−６９５７４号
【発明の開示】
【発明が解決しようとする課題】
【０００４】
本発明は以上のような従来の欠点に鑑み、幹線ケーブルを複数本接続しても、十分な接続強度が得られるとともに、電気の相確認が容易にでき、誤接続を防止することができる幹線ケーブルを提供することを目的としている。              
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は3フロア程度に配線できる長さに形成されたケーブルと、このケーブルの各フロアに電気を供給できるように分岐された複数個の分岐配線と、前記ケーブルの上部あるいは下部に取付けられた内部に接触子を有する雌コネクタ本体、この雌コネクタ本体の先端外周部に形成されたねじ部、このねじ部の後端部に形成された位置決め確認ができ、かつ電気の相識別を確認することができる確認部とからなる雌コネクタと、前記ケーブルの下部あるいは上部に取付けられた前記雌コネクタの接触子と接続される接触片を有する雄コネクタ本体、この雄コネクタ本体を覆うように回転可能に取付けられた、前記雌コネクタと螺合する袋ナット、この袋ナットの先端部が前記雌コネクタの確認部に螺合位置したところで、該袋ナットを雄コネクタ本体に固定するセットビスとからなる雄コネクタとで幹線ケーブルを構成している。
【発明の効果】
【０００７】
以上の説明から明らかなように、本発明にあっては次に列挙する効果が得られる。
【０００８】
（１）3フロア程度に配線できる長さに形成されたケーブルと、このケーブルの各フロアに電気を供給できるように分岐された複数個の分岐配線と、前記ケーブルの上部あるいは下部に取付けられた内部に接触子を有する雌コネクタ本体、この雌コネクタ本体の先端外周部に形成されたねじ部、このねじ部の後端部に形成された位置決め確認ができ、かつ電気の相識別を確認することができる確認部とからなる雌コネクタと、前記ケーブルの下部あるいは上部に取付けられた前記雌コネクタの接触子と接続される接触片を有する雄コネクタ本体、この雄コネクタ本体を覆うように回転可能に取付けられた、前記雌コネクタと螺合する袋ナット、この袋ナットの先端部が前記雌コネクタの確認部に螺合位置したところで、該袋ナットを雄コネクタ本体に固定するセットビスとで構成されているので、雌コネクタのねじ部と雄コネクタの袋ナットとの螺合およびセットビスによって、十分な強度で、雄コネクタと雌コネクタとを接続することができる。
したがって、高層ビルで複数本接続しても、接続が外れたりする不具合を確実に防止することができる。
【０００９】
（２）前記（１）によって、袋ナットの雌コネクタのねじ部への螺合は袋ナットの先端部が確認部に位置したところで、セットビスを螺合して固定することにより、確実に最適状態で固定することができる。
したがって、誰でもが正確に接続作業を行なうことができる。
【００１０】
（３）前記（１）によって、確認部によって接続するケーブルの電気の相識別をすることができる。
したがって、誤配線を効率よく防止することができる。
【００１１】
（４）請求項２も前記（１）〜（３）と同様な効果が得られる。
【発明を実施するための最良の形態】
【００１２】
以下、図面に示す本発明を実施するための最良の形態より、本発明を詳細に説明する。
【００１３】
図１ないし図７に示す本発明を実施するための最良の第１の形態において、１は２〜５フロア、本発明を実施するための最良の第１の形態では３フロア程度に配線できる本発明の幹線ケーブルで、この幹線ケーブル１は３フロア程度に配線できる長さに形成されたケーブル２と、このケーブル２の各フロアに電気を供給できるようにそれぞれ分岐された、工場でシース３を除去して接続し、モールド４で絶縁処理した複数個、本発明の形態では３個の分岐配線５、５、５と、前記ケーブル２の上部あるいは下部、本発明の実施の形態では上部の導体６に取付けられた雌コネクタ７と、前記ケーブル２の下部の導体６に取付けられた雄コネクタ８とで構成されている。
【００１４】
前記雌コネクタ７は図３および図５に示すように、前記ケーブル２の上部の導体６にカシメ固定される導体挿入孔９が一端部に形成され、他端部に接触子１０を設けた接続孔１１が形成された雌コネクタ本体１２と、この雌コネクタ本体１２の接続孔１１の外周部に形成されたねじ部１３と、このねじ部１３の後端部に形成された位置決め確認ができ、かつ電気の相識別を確認することができる凹部１４を形成し、色識別用の色１５が塗布された確認部１６とで構成されている。
なお、電気の相識別を色で行なうものについて説明したが、これに限らず、記号等で行なってもよい。
【００１５】
前記雄コネクタ８は図２および図４に示すように、前記ケーブル２の下部の導体６にカシメ固定される導体挿入孔１７が一端部に形成され、他端部に前記雌コネクタ７の接続孔１１内に挿入され、接触子１０と接続される接触片１８を有する雄コネクタ本体１９と、この雄コネクタ本体１９の接触片１８を覆うように回転可能に取付けられた、前記雌コネクタ７のねじ部１３と螺合する袋ナット２０と、この袋ナット２０の先端部が前記雌コネクタ７の確認部１６に螺合位置したところで、該袋ナット２０を雄コネクタ本体１９に固定する袋ナット２０に形成されたねじ孔２１と螺合するセットビス２２とで構成されている。
【００１６】
上記構成の幹線ケーブル１は少なくとも２本以上並列する状態で、順次上方に接続して配線されるが、この配線時に雌コネクタ７と雄コネクタ８の接続を確認部１６の色で電気の相識別の確認を行なうとともに、袋ナット２０とねじ部１３との螺合、袋ナット２０の先端部が確認部１６に位置していることを確認して、セットビス２２で袋ナット２０と雄コネクタ本体１９とを固定し、その後に雄コネクタ８、雌コネクタ７およびケーブル２の両端部にモールド２３、配線チューブやテープ２４等によって絶縁処理を行なう。
[発明を実施するための異なる形態]
【００１７】
次に、図８ないし図１３に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図８ないし図１０に示す本発明を実施するための第２の形態において、前記本発明を実施するための最良の第１の形態と主に異なる点は、雄コネクタ本体１９に電気の相識別を確認するための色識別用の色１５を塗布した雄コネクタ８Ａを用いた点で、このように構成された幹線ケーブル１Ａにしても、前記本発明を実施するための最良の第１の形態と同様な作用効果が得られるとともに、より電気の相識別を容易に確認して接続を行なうことができる。
【００１９】
図１１ないし図１３に示す本発明を実施するための第３の形態において、前記本発明を実施するための最良の第１の形態と主に異なる点は、ケーブル２の各フロアに電気を供給できるように分岐配線５Ａ、５Ａ、５Ａの端部に取付けられた雄コネクタ２５、２５、２５と着脱可能あるいは挿入によりロック機構が作動して固定的に接続することができる雌コネクタ２６、２６、２６を取付けた点で、このように雌コネクタ２６、２６、２６を取付けた幹線ケーブル１Ｂにしても、前記本発明を実施するための最良の第１の形態と同様な作用効果が得られるとともに、幹線ケーブル１Ｂの設置時に分岐配線５Ａ、５Ａ、５Ａのない状態で行なえるため、より楽に配線作業を行なうことができる。
【産業上の利用可能性】
【００２０】
本発明は幹線ケーブルを製造する産業および、該幹線ケーブルを設置する産業で利用される。
【図面の簡単な説明】
【００２１】
【図１】本発明を実施するための最良の第１の形態の説明図。
【図２】本発明を実施するための最良の第１の形態の下部の正面図。
【図３】本発明を実施するための最良の第１の形態の上部の正面図。
【図４】本発明を実施するための最良の第１の形態の下部の断面図。
【図５】本発明を実施するための最良の第１の形態の上部の断面図。
【図６】本発明を実施するための最良の第１の形態の接続状態の正面図。
【図７】本発明を実施するための最良の第１の形態の接続部を絶縁処理した状態の断面図。
【図８】本発明を実施するための第２の形態の説明図。
【図９】本発明を実施するための第２の形態の下部の正面図。
【図１０】図８の要部拡大説明図。
【図１１】本発明を実施するための第３の形態の正面図。
【図１２】本発明を実施するための第３の形態の側面図。
【図１３】図１１の１３―１３線に沿う拡大断面図。
【符号の説明】
【００２２】
１、１Ａ、１Ｂ：幹線ケーブル、
２：ケーブル、                      ３：  シース、
４：モールド、                    ５、５Ａ：分岐配線、
６：導体、                            ７：雌コネクタ、
８、８Ａ：雄コネクタ、    ９：導体挿入孔、
１０：接触子、                    １１：接続孔、
１２：雌コネクタ本体、    １３：ねじ部、
１４：凹部、                                    １５：色識別用の色、
１６：確認部、                    １７：導体挿入孔、
１８：接触片、                    １９：雄コネクタ本体、
２０：袋ナット、                ２１：ねじ孔、
２２：セットビス、                        ２３：モールド、
２４：絶縁チューブやテープ、
２５：雄コネクタ、                        ２６：雌コネクタ。
【図１】
2005056687.tif 000003
【図２】
2005056687.tif 000004
【図３】
2005056687.tif 000005
【図４】
2005056687.tif 000006
【図５】
2005056687.tif 000007
【図６】
2005056687.tif 000008
【図７】
2005056687.tif 000009
【図８】
2005056687.tif 000010
【図９】
2005056687.tif 000011
【図１０】
2005056687.tif 000012
【図１１】
2005056687.tif 000013
【図１２】
2005056687.tif 000014
【図１３】
2005056687.tif 000015